(57)【要約】【課題】複数の空気調和機が併用される部屋全体の空調管理を適正に行う。【解決手段】温度センサ４５を空気清浄器３０に配置する。そして、エアコン１０の運転状態を温度センサ４５で検出された温度に基づいて制御する。また、汚れセンサ２５をエアコン１０に配置する。そして、空気清浄器３０の運転状態を汚れセンサ２５で検出された空気の汚れ度に基づいて制御する。【選択図】図４
2008267795.tif 000002
【特許請求の範囲】
【請求項１】
同一の部屋内に配置された複数の空気調和機を備え、
前記複数の空気調和機の少なくとも１つは、他の空気調和機から送信された信号を受信可能であって、その空気調和機の運転状態は前記他の空気調和機から送信された信号に基づいて制御されることを特徴とする空調管理システム。
【請求項２】
前記複数の空気調和機として、
前記部屋内の空気の温度を調節する機能を有する温度調節装置（１０）と、
前記部屋内の空気の汚れ度を低減させる機能を有する空気清浄装置（３０）とを含んでいることを特徴とする請求項１に記載の空調管理システム（１）。
【請求項３】
前記空気清浄装置（３０）は前記部屋内の温度を検出する第１の温度センサ（４５）を有しており、
前記温度調節装置（１０）の運転状態は前記第１の温度センサ（４５）で検出された温度に基づいて制御されることを特徴とする請求項２に記載の空調管理システム（１）。
【請求項４】
前記温度調節装置（１０）は、
前記部屋内の温度を検出する第２の温度センサ（２４）と、
前記第１の温度センサ（４５）及び前記第２の温度センサ（２４）のいずれで検出された温度に基づいて運転状態を制御するかを設定する設定手段（２３）とを備えていることを特徴とする請求項３に記載の空調管理システム（１）。
【請求項５】
前記温度調節装置（１０）は前記部屋内の空気の汚れ度を検出する第１の汚れセンサ（２５）を有しており、
前記空気清浄装置（３０）の運転状態は前記第１の汚れセンサ（２５）で検出された汚れ度に基づいて制御されることを特徴とする請求項２〜４のいずれか１項に記載の空調管理システム（１）。
【請求項６】
前記空気清浄装置（３０）は、
前記部屋内の空気の汚れ度を検出する第２の汚れセンサ（４４）と、
前記第１の汚れセンサ（２５）及び前記第２の汚れセンサ（４４）のいずれで検出された汚れ度に基づいて運転状態を制御するかを設定する設定手段（４３）とを備えていることを特徴とする請求項５に記載の空調管理システム（１）。
【請求項７】
前記部屋内において前記空気清浄装置（３０）は前記温度調節装置（１０）よりも下方に配置されていることを特徴とする請求項２〜６のいずれか１項に記載の空調管理システム（１）。
【請求項８】
前記複数の空気調和機として、
前記部屋内の空気の温度を調整する機能を有する温度調節装置（１０）と、
前記部屋内において空気の流れを発生させる送風装置（３０）とを含んでいることを特徴とする請求項１に記載の空調管理システム。
【請求項９】
前記部屋内において前記送風装置（３０）は前記温度調節装置（１０）よりも下方に配置されていることを特徴とする請求項８に記載の空調管理システム。
【請求項１０】
前記送風装置（３０）は、上方に向かって空気を吹き出す吹出口（３６）を有していることを特徴とする請求項８または９に記載の空調管理システム。
【請求項１１】
前記複数の空気調和機として、
前記部屋内の空気の温度、湿度、空気清浄、脱臭、換気、輻射熱をそれぞれ調節する機能を有する複数の調節装置（１０、３０、６１、６２、６３）を含んでおり、
前記複数の調節装置（１０、３０、６１、６２、６３）は、設定された情報に基づいて互いに連動して運転されることを特徴とする請求項１に記載の空調管理システム。
【発明の詳細な説明】
【技術分野】
【０００１】
本発明は、複数の空気調和機が配置された部屋全体の空調管理を行う空調管理システムに関するものである。
【背景技術】
【０００２】
エアコン等の空気調和機が配置された部屋においては、空気調和機の運転状態が部屋内の温度や湿度に基づいて適宜変更されるのが好ましい。そこで、特許文献１には、室内ユニットで入手した室内の温度や湿度等の情報をリモコンに送信し、それらをリモコンの表示部に表示することで、使用者が身近にあるリモコン側で室内の温度や湿度を認識して各種の操作を行うことができる空気調和システムが記載されている。
【特許文献１】特開２００１−２１２００号公報
【発明の開示】
【発明が解決しようとする課題】
【０００３】
しかしながら、近年では、１つの部屋の空気調和機として、エアコンだけが設けられるのではなく、例えばエアコンや空気清浄器などの複数の空気調和機が併用されることが多くなっている。そして、エアコンと空気清浄器とが併用される場合には、エアコンは主に室内温度を調整するための専用機として用いられ、空気清浄器は主に室内の空気の汚れ度を低減させるための専用機として用いられる。そのため、エアコンの室内機には温度センサが配置されており、エアコンの運転状態はその温度センサで検出された温度に基づいて制御されると共に、一方、空気清浄器には汚れセンサが配置され、空気清浄器の運転状態はその汚れセンサで検出された空気の汚れ度に基づいて制御される。ここで、エアコンと空気清浄器とが併用される部屋全体の空調管理を行うことを考えると、エアコンの運転状態が室内機周辺の温度に基づいて制御されると共に、空気清浄器の運転状態がその周辺の空気の汚れ度に基づいて制御されるだけでは十分とはいえない。また、空気清浄器が主に室内において空気の流れを発生させる送風装置として用いられる場合もあるが、この場合も、エアコンと空気清浄器とが連動して制御されることが好ましい。
【０００４】
そこで、本発明の主な目的は、複数の空気調和機が併用される部屋全体の空調管理を適正に行うことができる空調管理システムを提供することである。
【課題を解決するための手段】
【０００５】
第１の発明に係る空調管理システムは、同一の部屋内に配置された複数の空気調和機を備え、前記複数の空気調和機の少なくとも１つは、他の空気調和機から送信された信号を受信可能であって、その空気調和機の運転状態は前記他の空気調和機から送信された信号に基づいて制御されることを特徴とする。
【０００６】
この空気調和機では、複数の空気調和機の運転を連動させることができる。つまり、ある空気調和機の運転状態が同一の部屋内に配置された他の空気調和機から送信された信号に基づいて制御される。従って、空気調和機の運転状態は、その周辺の空気の状況だけに基づいて制御するだけでなく、他の空気調和機の周辺の空気の状況に基づいて制御することが可能になる。従って、複数の空気調和機が併用される部屋全体の空調管理を適正に行うことができる。
【０００７】
第２の発明に係る空調管理システムは、第１の発明に係る空調管理システムであって、  前記複数の空気調和機として、前記部屋内の空気の温度を調節する機能を有する温度調節装置と、前記部屋内の空気の汚れ度を低減させる機能を有する空気清浄装置とを含んでいることを特徴とする。
【０００８】
この空調管理システムでは、温度調節装置と空気清浄器とが併用される部屋全体の温度調節及び空気の汚れ度の低減を適正に行うことができる。
【０００９】
第３の発明に係る空調管理システムは、第２の発明に係る空調管理システムであって、  前記空気清浄装置は前記部屋内の温度を検出する第１の温度センサを有しており、前記温度調節装置の運転状態は前記第１の温度センサで検出された温度に基づいて制御されることを特徴とする。
【００１０】
この空調管理システムでは、温度調節装置の運転状態が空気清浄器に配置された第１の温度センサで検出された温度に基づいて制御される。従って、温度調節装置の運転状態を空気清浄器の周辺の空気の状況に基づいて制御できるので、部屋全体の温度調節を適正に行うことができる。
【００１１】
第４の発明に係る空調管理システムは、第３の発明に係る空調管理システムであって、  前記温度調節装置は、前記部屋内の温度を検出する第２の温度センサと、前記第１の温度センサ及び前記第２の温度センサのいずれで検出された温度に基づいて運転状態を制御するかを設定する設定手段とを備えていることを特徴とする。
【００１２】
この空調管理システムでは、温度調節装置の運転状態を、空気清浄器に配置された第１の温度センサで検出された温度に基づいて制御するか、または、温度調節装置に配置された第２の温度センサで検出された温度に基づいて制御するかをユーザが適宜設定することができる。
【００１３】
第５の発明に係る空調管理システムは、第２〜４の発明のいずれかに係る空調管理システムであって、前記温度調節装置は前記部屋内の空気の汚れ度を検出する第１の汚れセンサを有しており、前記空気清浄装置の運転状態は前記第１の汚れセンサで検出された汚れ度に基づいて制御されることを特徴とする。
【００１４】
この空調管理システムでは、空気清浄器の運転状態が温度調節装置に配置された第１の汚れセンサで検出された空気の汚れ度に基づいて制御される。従って、空気清浄器の運転状態を温度調節装置の周辺の空気の状況に基づいて制御できるので、部屋全体の空気の汚れ度を適正に行うことができる。
【００１５】
第６の発明に係る空調管理システムは、第５の発明に係る空調管理システムであって、  前記空気清浄装置は、前記部屋内の空気の汚れ度を検出する第２の汚れセンサと、前記第１の汚れセンサ及び前記第２の汚れセンサのいずれで検出された汚れ度に基づいて運転状態を制御するかを設定する設定手段とを備えていることを特徴とする。
【００１６】
この空調管理システムでは、空気清浄器の運転状態を、温度調節装置に配置された第１の汚れセンサで検出された空気の汚れ度に基づいて制御するか、または、空気清浄器に配置された第２の汚れセンサで検出された空気の汚れ度に基づいて制御するかをユーザが適宜設定することができる。
【００１７】
第７の発明に係る空調管理システムは、第２〜６の発明のいずれかに係る空調管理システムであって、前記部屋内において前記空気清浄装置は前記温度調節装置よりも下方に配置されていることを特徴とする。
【００１８】
この空調管理システムでは、部屋の上方に配置された温度調節装置の運転状態を、部屋の下方に配置された空気清浄器に配置された第１の温度センサで検出された温度に基づいて制御することで、ユーザの周辺の空気の状況に基づいた温度調節が可能になる。また、部屋の下方に配置された空気清浄器の運転状態を、部屋の上方に配置された温度調節装置に配置された第１の汚れセンサで検出された空気の汚れ度に基づいて制御することで、部屋の上方の空気の状況に基づいた汚れ度の低減が可能になる。
【００１９】
第８の発明に係る空調管理システムは、第１の発明に係る空調管理システムであって、  前記複数の空気調和機として、前記部屋内の空気の温度を調整する機能を有する温度調節装置と、前記部屋内において空気の流れを発生させる送風装置とを含んでいることを特徴とする。
【００２０】
この空調管理システムでは、温度調節装置と送風装置とが併用される部屋全体の温度調節を適正に行うことができる。
【００２１】
第９の発明に係る空調管理システムは、第８の発明に係る空調管理システムであって、前記部屋内において前記送風装置は前記温度調節装置よりも下方に配置されていることを特徴とする。
【００２２】
この空調管理システムでは、部屋の上方に配置された温度調節装置の運転と、部屋の下方に配置された送風装置の運転とを連動させることで、部屋全体の温度調節を効率よく行うことができる。
【００２３】
第１０の発明に係る空調管理システムは、第８または第９の発明に係る空調管理システムであって、前記送風装置は、上方に向かって空気を吹き出す吹出口を有していることを特徴とする。
【００２４】
この空調管理システムでは、送風装置によって、部屋内の空気を容易に循環させることができる。また、送風装置から吹き出された空気が使用者にあたらないので、使用者の快適性が向上する。
【００２５】
第１１の発明に係る空調管理システムは、第１の発明に係る空調管理システムであって、前記複数の空気調和機として、前記部屋内の空気の温度、湿度、空気清浄、脱臭、換気、輻射熱をそれぞれ調節する機能を有する複数の調節装置を含んでおり、前記複数の調節装置は、設定された情報に基づいて互いに連動して運転されることを特徴とする。
【００２６】
この空調管理システムでは、部屋内の空気の温度、湿度、空気清浄、脱臭、換気、輻射熱などの室内空気環境のそれぞれの特性を調節する機能を有する複数の調節装置の運転を互いに連動させることで、複数の空気調和機が併用される部屋全体の空調管理を使用者が設定した室内空気環境になるように適正に行うことができる。従って、複数の空気調和機はそれぞれ最適なタイミングで連動して運転されるので、複数の空気調和機をユーザが別々に運転しなくても、それらは自動的に制御されるので煩わしさがない。なお、複数の空気調和機が互いに連動して運転される場合には、複数の空気調和機の全てが同時に運転される場合だけでなく、複数の空気調和機の一部だけが室内空気環境に基づいて個別に運転される場合も含まれる。また、使用者は、例えばリモコンによって室内空気環境を設定することができる。
【発明の効果】
【００２７】
以上の説明に述べたように、本発明によれば、以下の効果が得られる。
【００２８】
第１〜１１の発明では、複数の空気調和機の運転を連動させることができる。つまり、ある空気調和機の運転状態が同一の部屋内に配置された他の空気調和機から送信された信号に基づいて制御される。従って、空気調和機の運転状態は、その周辺の空気の状況だけに基づいて制御するだけでなく、他の空気調和機の周辺の空気の状況に基づいて制御することが可能になる。従って、複数の空気調和機が併用される部屋全体の空調管理を適正に行うことができる。
【発明を実施するための最良の形態】
【００２９】
以下、本発明に係る空調管理システムの実施の形態について、図面を参照しつつ説明する。図１は、本発明の実施の形態に係る空調管理システムの全体図である。図２は、図１の空調管理システムに含まれるエアコンの冷媒回路図である。図３は、図１の空調管理システムに含まれる空気清浄器の概略構成図である。
【００３０】
図１に示す空調管理システム１は、部屋２の内部の温度を調節する機能を有するエアコン１０と、部屋２の内部の空気の汚れ度を低減させる機能及び部屋２の内部において空気の流れを発生させる機能（送風装置の機能）を有する空気清浄装置３０とを備えている。エアコン１０は、部屋２の内部空間の上方に配置された室内機１０ａと、部屋の外部に配置された室外機１０ｂと、室内機１０ａと室外機１０ｂとを接続する配管１０ｃとを有している。
【００３１】
より詳細には、エアコン１０は、図２に示すように、室内熱交換器１１を有する室内機１０ａと、室外熱交換器１２、圧縮機１３及び電動膨張弁１４を有する室外機１０ｂとを備えている。図２の冷媒回路図では、インバータによって圧縮能力可変に制御される圧縮機１３の吐出側と吸入側との間に、四路切換弁１５の１次ポートが接続されている。そして、四路切換弁１５の２次ポートの間に、第１ガス管１６、室外熱交換器１２、第１液管１７、電動膨張弁１４、第２液管１８、室内熱交換器１１、第２ガス管１９が順に接続されている。
【００３２】
ここで、四路切換弁１５を実線方向に切り換えることにより、室外熱交換器１２を凝縮器として機能させるとともに室内熱交換器１１を蒸発器として機能させることで冷房運転を行うことができる。一方、四路切換弁１５を破線方向に切り換えることにより、室外熱交換器１２を蒸発器として機能させるとともに室内熱交換器１１を凝縮器として機能させることで暖房運転を行うことができる。
【００３３】
空気清浄器３０は、図３に示すように、ケース３１の内部に配置された送風ファン３２と、送風ファン３２の前側に配置されたフィルタ部３３とを有している。また、ケース３１の前面にはフロントカバー３４が取り付けられている。そして、フロントカバー３４には開口やスリット（図示しない）が形成されていると共に、フロントカバー３４の周囲には吸気口３５が設けられている。また、ケース３１の上方には、上方に向かって空気を吹き出す吹出口３６が設けられている。従って、送風ファン３２が回転すると、それによって発生した負圧により、部屋２の空気が開口やスリット及び吸気口３５からケース３１の内部に導入され、フィルタ部３３を通過することによって清浄化される。その後、清浄化された空気が吹出口３６からケース３１の外部に排出される。
【００３４】
次に、空調管理システムにおける制御ブロック図について、図４を参照して説明する。図４は、図１の空気管理システムの制御ブロック図である。
【００３５】
エアコン１０の制御ユニット２０には、制御部２１と、設定温度記憶部２２と、センサ設定記憶部２３とが含まれる。また、制御ユニット２０には、圧縮機１３と、四路切換弁１５と、室内機１０ａに配置された温度センサ２４と、室内機１０ａに配置された汚れセンサ２５と、送受信部２７とが接続されている。
【００３６】
制御部２１は、エアコン１０の運転状態を制御するものである。具体的には、制御部２１は、圧縮機１３の運転周波数を制御すると共に、四路切換弁１５の冷媒経路を切り換えることでエアコン１０の運転状態を制御する。設定温度記憶部２２は、ユーザにより設定された設定温度を記憶する。また、センサ設定記憶部２３は、温度センサに関する設定を記憶する。具体的には、センサ設定記憶部２３は、エアコン１０の運転状態を、エアコン１０の室内機１０ａに配置された温度センサ２４で検出された温度に基づいて制御するか、または、空気清浄器３０に配置された温度センサ４５で検出された温度に基づいて制御するかの設定を記憶する。センサ設定記憶部２３における設定はユーザにより適宜変更される。
【００３７】
一方、空気清浄器３０の制御ユニット４０には、制御部４１と、風量設定記憶部４２と、センサ設定記憶部４３とが含まれる。また、制御ユニット４０には、送風ファン３２と、ケース３１内に配置された汚れセンサ４４と、ケース３１内に配置された温度センサ４５と、送受信部４７とが接続されている。
【００３８】
制御部４１は、空気清浄器３０の運転状態を制御するものである。具体的には、制御部４１は、送風ファン３２の回転数を切り換えることで、送風ファン３２における風量を変更し、空気清浄器３０の運転状態を制御する。風量設定記憶部４２は、汚れセンサで検出された空気の汚れ度に応じた送風ファン３２の風量を記憶する。また、センサ設定記憶部４３は、汚れセンサに関する設定を記憶する。具体的には、センサ設定記憶部４３は、空気清浄器３０の運転状態を、空気清浄器３０のケース３１内に配置された汚れセンサ４４で検出された空気の汚れ度に基づいて制御するか、または、エアコン１０の室内機１０ａに配置された汚れセンサ２５で検出された空気の汚れ度に基づいて制御するかの設定を記憶する。センサ設定記憶部４３における設定はユーザにより適宜変更される。
【００３９】
エアコン１０の送受信部２７は、汚れセンサ２５で検出された空気の汚れ度に対応した汚れ信号を空気清浄器３０へ送信する。すると、その汚れ信号は空気清浄器３０の送受信部４７で受信される。また、空気清浄器３０の送受信部４７は、温度センサ４５で検出された室内温度に対応した温度信号をエアコン１０へ送信する。すると、その温度信号はエアコン１０の送受信部２７で受信される。ここで、エアコン１０の送受信部２７と空気清浄器３０の送受信部４７との間では信号が無線通信により送受信される。
【００４０】
本実施の形態の温度センサは、部屋２の空気の温度を検出可能なものであれば、どのようなものでもよい。従って、温度センサは、接触式のセンサであってもよいし、非接触式のセンサでもよい。接触式のセンサには、測温抵抗体センサ（金属の抵抗を測定し温度を求めるセンサ）、サーミスタ（温度変化に対して電気抵抗の変化の大きい抵抗体を利用し温度を測定するセンサ）、熱電対（異なる二種類の金属で回路をつくり、その二つの接合点を異なる温度にすると熱起電力が生じ電流が流れるという現象を利用し温度を測定するセンサ）、ＩＣ化温度センサ（トランジスタの温度特性を利用したセンサ）、バイメタル（熱膨張率が異なる２枚の金属板を貼り合わせたもので温度の変化によって曲がり方が変化する性質を利用し温度を測定するセンサ）などがある。また、非接触式のセンサには、熱型放射温度計（赤外線を受けたセンサ素子の温度変化を利用したセンサ）、量子型放射温度計（赤外線の光量子を受けたセンサ素子の変化を利用したセンサ）などがある。
【００４１】
本実施の形態の汚れセンサは、部屋２の空気の汚れ度を検出可能なものであれば、どのようなものでもよい。従って、汚れセンサは、ほこりセンサであってもよいし、においセンサであってもよい。ほこりセンサには、光学式ほこりセンサ（空気中に光を照射し、空気中に含まれる煙、ほこり、花粉、その他粒子によって乱射されて受光素子に田尾歌津下光量を検出し粉塵などの量を促成するセンサ）などがある。においセンサには、半導体式ほこりセンサ（還元ガスの有無を電気抵抗により検知しにおいの強さを測定するセンサ）などがある。
【００４２】
次に、本実施の形態の空調管理システム１における動作手順について、図５及び図６を参照して説明する。
【００４３】
まず、空調管理システム１のエアコン１０における動作手順について、図５を参照して説明する。図５は、本実施の形態の空調管理システムのエアコンにおける動作手順を示すフローチャートである。
【００４４】
まず、エアコン１０の電源がオフ状態からオン状態に変更される（ステップＳ１）。このとき、空気清浄器３０の電源もオフ状態からオン状態に変更される。そして、ユーザによって室内温度に関する設定温度の設定が行われる（ステップＳ２）。引き続き、エアコン１０の運転状態を制御するために用いられる温度センサとして、室内機１０ａに配置された温度センサ２４及び空気清浄器３０に配置された温度センサ４５のいずれかの温度センサが設定される（ステップＳ３）。
【００４５】
そして、室内機１０ａに配置された温度センサ２４が設定された場合（Ｓ４：ＹＥＳ）には、温度センサ２４で室内機１０ａの周辺の温度が検出され（ステップＳ５）、その検出温度が設定温度より低いか否かが判断される（ステップＳ６）。ここで、温度センサ２４で検出された検出温度が設定温度より低い場合（Ｓ６：ＹＥＳ）には、エアコン１０の運転状態は暖房運転に切り換えられる（ステップＳ７）。一方、温度センサ２４で検出された検出温度が設定温度以上である場合（Ｓ６：ＮＯ）には、その検出温度が設定温度より高いか否かが判断される（ステップＳ８）。ここで、温度センサ２４で検出された検出温度が設定温度より高い場合（Ｓ８：ＹＥＳ）には、エアコン１０の運転状態は冷房運転に切り換えられる（ステップＳ９）。一方、温度センサ２４で検出された検出温度が設定温度と同じである場合（Ｓ８：ＮＯ）には、ステップＳ５に戻って同様の処理が繰り返される。
【００４６】
また、ステップＳ７及びステップＳ９において、エアコン１０の運転状態が暖房運転または冷房運転に切り換えられた後は、ステップＳ５に戻って同様の処理が繰り返される。
【００４７】
一方、空気清浄器３０に配置された温度センサ４５が設定された場合（Ｓ４：ＮＯ）には、温度センサ４５で空気清浄器３０の周辺の温度が検出されると（ステップＳ１０）、その温度に対応した温度信号が空気清浄器３０からエアコン１０に送信されるので、エアコン１０では温度信号を受信する（ステップＳ１１）。すると、その温度センサ４５で検出された温度が設定温度より低いか否かが判断される（ステップＳ１２）。ここで、温度センサ４５で検出された検出温度が設定温度より低い場合（Ｓ１２：ＹＥＳ）には、エアコン１０の運転状態は暖房運転に切り換えられる（ステップＳ１３）。一方、温度センサ４５で検出された検出温度が設定温度以上である場合（Ｓ１２：ＮＯ）には、その検出温度が設定温度より高いか否かが判断される（ステップＳ１４）。ここで、温度センサ４５で検出された検出温度が設定温度より高い場合（Ｓ１４：ＹＥＳ）には、エアコン１０の運転状態は冷房運転に切り換えられる（ステップＳ１５）。一方、温度センサ４５で検出された検出温度が設定温度と同じである場合（Ｓ１４：ＮＯ）には、ステップＳ１０に戻って同様の処理が繰り返される。
【００４８】
また、ステップＳ１３及びステップＳ１５において、エアコン１０の運転状態が暖房運転または冷房運転に切り換えられた後は、ステップＳ１０に戻って同様の処理が繰り返される。
【００４９】
次に、空調管理システム１の空気清浄器３０における動作手順について、図６を参照して説明する。図６は、本実施の形態の空調管理システムの空気清浄器における動作手順を示すフローチャートである。
【００５０】
まず、空気清浄器３０の電源がオフ状態からオン状態に変更される（ステップＳ１０１）。このとき、エアコン１０の電源もオフ状態からオン状態に変更される。そして、空気清浄器３０の運転状態を制御するために用いられる汚れセンサとして、空気清浄器３０に配置された汚れセンサ４４及び室内機１０ａに配置された汚れセンサ２５のいずれかの汚れセンサが設定される（ステップＳ１０２）。
【００５１】
ここで、空気清浄器３０に配置された汚れセンサ４４が設定された場合（Ｓ１０３：ＹＥＳ）には、汚れセンサ４４で空気清浄器３０の周辺の空気の汚れ度が検出され（ステップＳ１０４）、その検出された汚れ度に応じた送風ファン３２の風量が決定される（ステップＳ１０５）。そして、上記で決定された風量に基づいて送風ファン３２が制御される（ステップＳ１０６）。その後、ステップＳ１０４に戻って同様の処理が繰り返される。
【００５２】
一方、エアコン１０の室内機１０ａに配置された汚れセンサ２５が設定された場合（Ｓ１０３：ＮＯ）には、汚れセンサ２５で室内機１０ａの周辺の空気の汚れ度が検出されると（ステップＳ１０７）、その汚れ度に対応した汚れ信号がエアコン１０から空気清浄器３０に送信されるので、空気清浄器３０では汚れ信号を受信する（ステップＳ１０８）。すると、汚れセンサ２５で検出された汚れ度に応じた送風ファン３２の風量が決定される（ステップＳ１０９）。そして、上記で決定された風量に基づいて送風ファン３２が制御される（ステップＳ１１０）。その後、ステップＳ１０７戻って同様の処理が繰り返される。
【００５３】
以上説明したように、本実施の形態の空調管理システム１では、エアコン１０の運転状態を、空気清浄器３０に配置された温度センサ４５で検出された温度に基づいて制御するか、または、エアコン１０の室内機１０ａに配置された温度センサ２４で検出された温度に基づいて制御するかをユーザが適宜設定することができる。また、空気清浄器３０の運転状態を、エアコン１０に配置された汚れセンサ２５で検出された空気の汚れ度に基づいて制御するか、または、空気清浄器３０に配置された汚れセンサ４４で検出された空気の汚れ度に基づいて制御するかをユーザが適宜設定することができる。
【００５４】
そして、エアコン１０の運転状態を制御するために用いられる温度センサとして、空気清浄器３０に配置された温度センサ４５を設定することで、エアコン１０の運転状態を空気清浄器３０の周辺の空気の状況に基づいて制御できるので、部屋全体の温度調節を適正に行うことができる。また、空気清浄器３０の運転状態を制御するために用いられる汚れセンサとして、エアコン１０に配置された汚れセンサ２５を設定することで、空気清浄器３０の運転状態をエアコン１０の周辺の空気の状況に基づいて制御できるので、部屋全体の空気の汚れ度を適正に行うことができる。従って、エアコン１０と空気清浄器３０とが併用される部屋２の全体の空調管理を適正に行うことができる。つまり、エアコン１０と空気清浄器３０とが連動することで各専用機の機能を有効活用し、総合的な空調管理が可能になる。また、エアコン１０と空気清浄器３０とをユーザが別々に運転しなくても、それらは自動的に制御されるので煩わしさがない。
【００５５】
なお、エアコン１０が、部屋２の内部の温度を調節する機能を有すると共に、部屋２の内部の空気の汚れ度を低減させる機能を有する場合において、使用者がリモコンによってエアコン１０の空気清浄運転を開始したときに、空気清浄器３０の空気清浄運転を開始することもできる。つまり、使用者によって図７のリモコン５０の空清ボタン５１が押された場合に、リモコン５０からエアコン１０に対して空気清浄運転の開始信号が送信されると共に、その信号がエアコン１０を介して空気清浄器３０に送信することで、空気清浄器３０の空気清浄運転を開始することができる。
【００５６】
以上、本発明の実施の形態について図面に基づいて説明したが、具体的な構成は、これらの実施の形態に限られるものではなく、発明の要旨を逸脱しない範囲で変更可能である。
【００５７】
上述の実施の形態では、同一の部屋に配置される複数の空気調和機として、エアコン１０及び空気清浄器３０が含まれ、エアコン１０の運転状態が空気清浄器３０に配置された温度センサ４５で検出された温度に基づいて制御されると共に、空気清浄器３０の運転状態がエアコン１０に配置された汚れセンサ２５で検出された空気の汚れ度に基づいて制御される場合を説明しているが、同一の部屋に配置される複数の空気調和機はエアコン及び空気清浄器以外の空気調和機であってもよいし、空気調和機の運転状態が温度に対応した温度信号及び空気の汚れ度に対応した汚れ信号以外の信号に基づいて制御されてもよい。従って、同一の部屋に配置される複数の空気調和機として、加湿器、除湿器、換気扇、暖房機、脱臭器、電気カーペットなどが含まれてもよい。また、例えば、１つの部屋の下方に配置された加湿器または除湿器に湿度センサが配置されており、その湿度センサで検出された湿度に対応した湿度信号がエアコンに送信され、エアコンの運転状態が、その湿度信号に対応した湿度に基づいて制御されてもよい。また、空調管理システム１０１は、図８に示すように、複数の空気調和機として、例えば、部屋内の空気の温度を調節する機能を有するエアコン１０と、部屋内の空気の汚れ度を低減させる機能及び脱臭の機能を有する空気清浄装置３０と、部屋内の空気の湿度を調節する機能を有する除湿加湿器６１と、部屋内の空気の換気を行う換気扇６２と、輻射熱を調節する機能を有する輻射冷暖房機６３とを含んでおり、これらがリモコン５０からエアコン１０に設定送信された情報に基づいて互いに連動して運転されてもよい。従って、この場合には、リモコン５０及び他の複数の空気調和機との間で送受信できるエアコン１０を中継器として、部屋内に配置された複数の空気調和機を１つのリモコン５０だけで操作可能になる。
【００５８】
上述の実施形態では、空気清浄装置３０の部屋２の内部の空気の汚れ度を低減させる機能を主に考慮し、空気清浄器３０の送風ファン３２の回転数が、汚れセンサで検出された空気の汚れ度に応じた風量に切り換えられるが、空気清浄装置３０の部屋２の内部において空気の流れを発生させる機能（送風装置の機能）を主に考慮し、送風ファン３２の制御は変更してもよい。従って、例えば、エアコン１０の暖房起動時には、冷風感を防止するために、通常運転よりも風量が弱い状態で送風ファン３２を起動または送風ファン３２を遅延させて起動し、室内の上層下層で温度勾配がつく前に、送風ファン３２の風量を通常運転にし、温度分布を均一化し、温度が安定すると、送風ファン３２の風量を通常運転よりも弱い状態に戻し、天井付近の淀んだ暖気を攪拌するように、送風ファン３２を制御してもよい。また、エアコン１０の冷房起動時には、エアコン１０の起動と同時に送風ファン３２を通常運転の風量で起動し、冷風感を発生させ、温度が安定すると、床面付近に滞留した冷気を上方に吹き上げ、温度分布を均一化する。そして、温度が安定すると、ドラフト防止で通常運転よりも風量が弱い状態になるように、送風ファン３２を制御してもよい。この場合も、エアコン１０の暖房運転の起動信号や、冷房運転の起動信号や、起動時からの時間を示す信号などがエアコン１０から空気清浄装置３０に送信されることによって、空気清浄装置３０の送風ファン３２の風量が変更されるので、エアコン１０と空気清浄装置３０とが連動して運転されることになる。
【００５９】
上述の実施の形態では、エアコン１０の送受信部２７と空気清浄器３０の送受信部４７との間では信号が無線通信により送受信されているが、信号が有線通信により送受信されてもよい。
【産業上の利用可能性】
【００６０】
本発明を利用すれば、複数の空気調和機が併用される部屋全体の空調管理を適正に行うことができる。
【図面の簡単な説明】
【００６１】
【図１】本発明の実施の形態に係る空調管理システムの全体図である。
【図２】図１の空調管理システムに含まれるエアコンの冷媒回路図である。
【図３】図１の空調管理システムに含まれる空気清浄器の概略構成図である。
【図４】図１の空気管理システムの制御ブロック図である。
【図５】本実施の形態の空調管理システムのエアコンにおける動作手順を示すフローチャートである。
【図６】本実施の形態の空調管理システムの空気清浄器における動作手順を示すフローチャートである。
【図７】エアコンのリモコンを示す図面である。
【図８】本発明の他の実施の形態に係る空調管理システムの全体図である。
【符号の説明】
【００６２】
１、１０１  空調管理システム
１０  エアコン
２１  制御部
２２  設定温度記憶部
２３  センサ設定記憶部
２４  温度センサ
２５  汚れセンサ
３０  空気清浄器
４１  制御部
４２  風量設定記憶部
４３  センサ設定記憶部
４４  汚れセンサ
４５  温度センサ
５０  リモコン
５１  空清ボタン５１
６１  除湿加湿器
６２  換気扇
６３  輻射冷暖房機
【図１】
2008267795.tif 000003
【図２】
2008267795.tif 000004
【図３】
2008267795.tif 000005
【図４】
2008267795.tif 000006
【図５】
2008267795.tif 000007
【図６】
2008267795.tif 000008
【図７】
2008267795.tif 000009
【図８】
2008267795.tif 000010